(57)【要約】【目的】ディジタル放送において、中継事業者が放送事業者の視聴管理に干渉することなく独立に視聴制御できる放送再送信装置および多重暗号化装置を提供することを目的とする。【構成】放送事業者の送信機から送信されたディジタル放送に係る放送信号を、視聴者宅の受信機に再送信する放送再送信装置であって、前記放送事業者の送信機によって暗号処理された放送信号について解読処理を行うことなく、該放送信号の全てまたは一部に、前記放送事業者の送信機が行った暗号処理とは異なる暗号処理を行う多重暗号化装置を有する、ように構成する。【選択図】　　　　　図１
2004096274.tif 000002
【特許請求の範囲】
【請求項１】
放送事業者の送信機から送信されたディジタル放送に係る放送信号を、視聴者宅の受信機に再送信する放送再送信装置であって、
前記放送事業者の送信機によって暗号処理された放送信号について解読処理を行うことなく、該放送信号の全てまたは一部に、前記放送事業者の送信機が行った暗号処理とは異なる暗号処理を行う多重暗号化装置を有する、
ことを特徴とする放送再送信装置。
【請求項２】
ディジタル放送を多重化し暗号化する多重暗号化装置であって、
１以上のＭＰＥＧトランスポートストリームを入力され、該入力された１以上のＭＰＥＧトランスポートストリームをそれぞれ構成する１以上のＭＰＥＧトランスポートストリームパケットを多重化する同期多重部と、
前記同期多重部が出力する各ＭＰＥＧトランスポートストリームパケットについて、そのペイロード部の全てまたは一部を第１の暗号鍵で暗号処理する暗号処理部と、
前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序を示す多重化情報と前記第１の暗号鍵に関する暗号化情報とを含んだＭＰＥＧトランスポートストリームパケットと、を多重化する制御情報多重部と、
を有することを特徴とする多重暗号化装置。
【請求項３】
前記第１の暗号鍵は任意の時刻に変更され、前記暗号化情報は該第１の暗号鍵の変更に同期して変更される、ことを特徴とする請求項２に記載の多重暗号化装置。
【請求項４】
請求項２または請求項３に記載の多重暗号化装置であって、前記多重化情報および前記暗号化情報が含まれる１以上のＭＰＥＧトランスポートストリームパケットで構成される信号のみを出力する、ことを特徴とする多重暗号化装置。
【請求項５】
請求項２〜請求項４のいずれか１項に記載の多重暗号化装置であって、
前記暗号処理部は、さらに、前記第１の暗号鍵を第２の暗号鍵で暗号処理して、該暗号処理された前記第１の暗号鍵を含む共通情報（ＥＣＭ）を生成し、
前記制御情報多重部は、前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序および前記ＥＣＭの送出順序を示す多重化情報と前記第１の暗号鍵に関する暗号化情報とを含んだＭＰＥＧトランスポートストリームパケットと、前記ＥＣＭを含んだＭＰＥＧトランスポートストリームパケットと、を多重化する制御情報多重部と、
有することを特徴とする多重暗号化装置。
【請求項６】
請求項５に記載の多重暗号化装置であって、
前記暗号処理部は、さらに、前記第２の暗号鍵を第３の暗号鍵で暗号処理して、該暗号処理された前記第２の暗号鍵を含む個別情報（ＥＭＭ）を生成し、
前記制御情報多重部は、前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序および前記ＥＭＭの送出順序を示す多重化情報と前記第１の暗号鍵に関する暗号化情報とを含んだＭＰＥＧトランスポートストリームパケットと、前記ＥＭＭを含んだＭＰＥＧトランスポートストリームパケットと、を多重化する制御情報多重部と、
有することを特徴とする多重暗号化装置。
【発明の詳細な説明】
【０００１】
【発明の属する技術分野】
本発明は、テレビ局などの放送事業者から送信されたディジタル放送に係る放送信号を、視聴者宅に再送信する放送再送信装置、および、この放送再送信装置において用いられる多重暗号化装置に関し、特に、視聴者宅におけるディジタル放送の視聴を管理する放送再送信装置および多重暗号化装置に関する。
【０００２】
【従来の技術】
ディジタル放送においては、不正な視聴を防ぐために、有料番組が限定受信システム（ＣＡＳ：Ｃｏｎｄｉｔｉｏｎａｌ　Ａｃｃｅｓｓ　Ｓｙｓｔｅｍ）によって放送されている。
【０００３】
ここで、ＣＡＳとは、ディジタル放送の視聴者を限定するために、映像や音声などの放送コンテンツに暗号処理を施し、この暗号の解読に必要な鍵を特定の視聴者に配信するシステムである。
【０００４】
このＣＡＳにおいては、一般に、上記暗号処理が放送信号を送信する箇所（以下、「放送事業者」という。）で行われ、上記暗号の解読が視聴者宅の受信機内で行われる。
【０００５】
放送事業者から公衆に受信されるために送信されたディジタル放送は、たとえばＣＡＴＶ（Ｃａｂｌｅ　Ｔｅｌｅｖｉｓｉｏｎ：ケーブルテレビ）に代表されるように、視聴者宅の受信機により受信されるまでの間、放送事業者・視聴者のいずれとも異なる第三者の設備を経由することがある（以下、この第三者、すなわち、放送事業者と視聴者との間でディジタル放送を中継する事業者を「中継事業者」という）。
【０００６】
たとえば高速の通信回線を持つインターネットのサービスプロバイダ（以下、「プロバイダ」という。）も、技術的には、ＣＡＴＶの場合と同様に、この中継事業者となることができる。
【０００７】
そこで、中継事業者としてプロバイダを想定し、このプロバイダが一般的なインターネット接続サービスの他に放送の再送信サービスを提供する場合を考えると、この場合の中継事業者と視聴者との間の契約には、インターネット接続サービスについての契約、放送再送信サービスについての契約、インターネット接続サービスと放送再送信サービスとの両方についての契約、と大きく３つの契約形態が考えられる。
【０００８】
このような３つの契約形態の下では、適切な技術的手段が採られなければ、インターネット接続サービスについての契約しか中継事業者との間で締結していない視聴者が、放送再送信サービスを利用できてしまうという事態が生じる。
【０００９】
したがって、かかる事態を防止して、視聴者の料金未納についての対策やサービスの差別化などを図るためには、プロバイダなどの中継事業者は、ディジタル放送を再送信する際にその放送信号に暗号処理を施すなどの視聴管理システムを採用する必要がある。
【００１０】
【発明が解決しようとする課題】
しかしながら、中継事業者が放送事業者の施す暗号処理と同様の暗号処理を放送信号に対して施すと、中継事業者の暗号処理と放送事業者の暗号処理とが干渉する。
【００１１】
たとえば、ディジタル放送で一般的に用いられるＭＰＥＧ２システム（Ｍｏｖｉｎｇ　Ｐｉｃｔｕｒｅ　Ｃｏｄｉｎｇ　Ｅｘｐｅｒｔｓ　Ｇｒｏｕｐ　２　システム：ＩＳＯ１３８１８）では、ＭＰＥＧトランスポートストリームパケットのヘッダに含まれるスクランブル制御フラグにより暗号処理の有無を指定するが、これは２ビットのフィールドであるため、４通りの状態しか表現できない。
【００１２】
したがって、中継事業者が、放送事業者が用いる既存のスクランブル制御フラグを用いた暗号処理の制御を、放送事業者と独立して独自に行うことは困難である。
【００１３】
また、プロバイダなどの中継事業者は、ＩＰｓｅｃ（Ｓｅｃｕｒｉｔｙ　Ａｒｃｈｉｔｅｃｔｕｒｅ　ｆｏｒ　Ｉｎｔｅｒｎｅｔ　Ｐｒｏｔｏｃｏｌ）による暗号処理を用いれば、中継事業者の暗号処理と放送事業者のＣＡＳとの干渉を避け、放送事業者とは独立に視聴管理を行うことが可能ではある。
しかし、ＩＰｓｅｃによる暗号処理は、再送信の媒体としてＩＰ（Ｉｎｔｅｒｎｅｔ　Ｐｒｏｔｏｃｏｌ）を用いる場合にのみ有効な方法であるため、媒体に依存しない再送信を行う場合にはＩＰｓｅｃのみでは不充分である。
【００１４】
なお、中継事業者が、放送信号の再送信に際して放送事業者のＣＡＳを終端し再度ＣＡＳを施すことにより、中継事業者の暗号処理と放送事業者のＣＡＳとの干渉を避ける方法も考えることができる。
【００１５】
しかし、この方法は、放送事業者による視聴管理を妨げる方法であるため、放送事業者と中継事業者との利害対立を引き起こす可能性がある。したがって、この方法は、中継事業者の暗号処理と放送事業者のＣＡＳとが干渉するという問題に対する本質的な解決策とはならない。
【００１６】
以上説明したように、従来、放送事業者によって暗号処理が施された放送信号を再送信する中継事業者は、視聴者の料金未納についての対策やサービスの差別化などを図るための、一般的に適用可能な視聴管理システムを有していなかった。
【００１７】
そこで、本発明は、かかる事情に鑑み、ディジタル放送において、中継事業者が放送事業者の視聴管理に干渉することなく独立に視聴制御できる放送再送信装置および多重暗号化装置を提供することを目的とする。
【００１８】
【課題を解決するための手段】
本発明によれば、上記課題は、前記特許請求の範囲に記載の手段により、解決される。
【００１９】
すなわち、請求項１に記載の発明は、放送事業者の送信機から送信されたディジタル放送に係る放送信号を、視聴者宅の受信機に再送信する放送再送信装置であって、前記放送事業者の送信機によって暗号処理された放送信号について解読処理を行うことなく、該放送信号の全てまたは一部に、前記放送事業者の送信機が行った暗号処理とは異なる暗号処理を行う多重暗号化装置を有する、ことを特徴とする放送再送信装置である。
【００２０】
請求項１に記載の発明によれば、放送事業者と視聴者との間でディジタル放送に係る放送信号を中継する中継事業者は、放送事業者の視聴管理とは独立に、視聴者宅におけるディジタル放送の視聴管理を行うことができる。
【００２１】
請求項２に記載の発明は、ディジタル放送を多重化し暗号化する多重暗号化装置であって、１以上のＭＰＥＧトランスポートストリームを入力され、該入力された１以上のＭＰＥＧトランスポートストリームをそれぞれ構成する１以上のＭＰＥＧトランスポートストリームパケットを多重化する同期多重部と、前記同期多重部が出力する各ＭＰＥＧトランスポートストリームパケットについて、そのペイロード部の全てまたは一部を第１の暗号鍵で暗号処理する暗号処理部と、前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序を示す多重化情報と前記第１の暗号鍵に関する暗号化情報とを含んだＭＰＥＧトランスポートストリームパケットと、を多重化する制御情報多重部と、を有することを特徴とする多重暗号化装置である。
【００２２】
請求項２に記載の発明によれば、１つまたは複数のＭＰＥＧトランスポートストリームを多重し、この多重したＭＰＥＧトランスポートストリームに放送事業者が行った暗号処理とは異なる暗号処理を施すことができる。
【００２３】
また、請求項２に記載の発明によれば、ＭＰＥＧトランスポートストリームパケットに多重化情報と暗号化情報が付加されるため、視聴者宅の受信機は、これら情報を用いることにより、ＭＰＥＧトランスポートストリームの抽出と暗号の解読とを容易に行うことができる。
【００２４】
請求項３に記載の発明は、前記第１の暗号鍵は任意の時刻に変更され、前記暗号化情報は該第１の暗号鍵の変更に同期して変更される、ことを特徴とする請求項２に記載の多重暗号化装置である。
【００２５】
請求項３に記載の発明は、請求項２に記載の多重暗号化装置であって、暗号鍵を任意の時刻に変更し、この暗号鍵の変更と同時に暗号化情報を変更するものである。したがって、請求項３に記載の発明によれば、暗号鍵の交換を円滑に行うことができる。
【００２６】
請求項４に記載の発明は、請求項２または請求項３に記載の多重暗号化装置であって、前記多重化情報および前記暗号化情報が含まれる１以上のＭＰＥＧトランスポートストリームパケットで構成される信号のみを出力する、ことを特徴とする多重暗号化装置である。
【００２７】
請求項４に記載の発明は、請求項２または請求項３に記載の多重暗号化装置であって、その全ての出力信号を、多重化情報、暗号化情報を含むＭＰＥＧトランスポートストリームパケットで構成するものである。請求項４に記載の発明によれば、既存のＭＰＥＧトランスポートストリームを扱う装置を、多重暗号化装置に接続される変調器などの送出系に関わる装置として利用できる。
【００２８】
請求項５に記載の発明は、請求項２〜請求項４のいずれか１項に記載の多重暗号化装置であって、前記暗号処理部は、さらに、前記第１の暗号鍵を第２の暗号鍵で暗号処理して、該暗号処理された前記第１の暗号鍵を含む共通情報（ＥＣＭ）を生成し、前記制御情報多重部は、前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序および前記ＥＣＭの送出順序を示す多重化情報と前記第１の暗号鍵に関する暗号化情報とを含んだＭＰＥＧトランスポートストリームパケットと、前記ＥＣＭを含んだＭＰＥＧトランスポートストリームパケットと、を多重化する制御情報多重部と、有することを特徴とする多重暗号化装置である。
【００２９】
請求項５に記載の発明は、請求項２〜請求項４のいずれか１項に記載の多重暗号化装置であって、第１の暗号鍵を含むＥＣＭ（Ｅｎｔｉｔｌｅｍｅｎｔ　Ｃｏｎｔｒｏｌ　Ｍｅｓｓａｇｅ）を多重暗号化装置から出力し、その送出順序が多重化情報に示されるものである。請求項５に記載の発明によれば、ＰＭＴ（ｐｒｏｇｒａｍ　ｍａｐ　ｔａｂｌｅ）によることなくＥＣＭを指定することができる。
【００３０】
請求項６に記載の発明は、請求項５に記載の多重暗号化装置であって、前記暗号処理部は、さらに、前記第２の暗号鍵を第３の暗号鍵で暗号処理して、該暗号処理された前記第２の暗号鍵を含む個別情報（ＥＭＭ）を生成し、前記制御情報多重部は、前記暗号処理部により暗号処理された各ＭＰＥＧトランスポートストリームパケットと、該各ＭＰＥＧトランスポートストリームパケットが属するＭＰＥＧトランスポートストリームおよび該各ＭＰＥＧトランスポートストリームパケットの送出順序および前記ＥＭＭの送出順序を示す多重化情報と前記第１の暗号鍵に関する暗号化情報とを含んだＭＰＥＧトランスポートストリームパケットと、前記ＥＭＭを含んだＭＰＥＧトランスポートストリームパケットと、を多重化する制御情報多重部と、有することを特徴とする多重暗号化装置である。
【００３１】
請求項６に記載の発明は、請求項５に記載の多重暗号化装置であって、ＥＣＭに第２の暗号鍵で解読可能な暗号処理を施し、この第２の暗号鍵をＥＭＭ（Ｅｎｔｉｔｌｅｍｅｎｔ　Ｍａｎａｇｅｍｅｎｔ　Ｍｅｓｓａｇｅ）として多重暗号化装置から送信するものである。また、請求項６に記載の発明は、このＥＭＭの送信順序を多重化情報に示す。したがって、請求項６に記載の発明によれば、ＣＡＴによらずＥＭＭを指定することが可能になる。
【００３２】
【発明の実施の形態】
以下に、添付した図面を参照しつつ、本発明の好適な実施の形態を詳細に説明する。
【００３３】
図１０は、本発明の実施の形態に係る放送再送信システムを示す図である。
【００３４】
図１０に示すように、本発明の実施の形態に係る放送再放送システムは、放送衛星と、この放送衛星から送信される放送信号を受信し再送信する放送再送信装置と、この放送再送信装置に接続されるＩＰ配信網と、このＩＰ配信網に接続される視聴者宅と、を有している。
【００３５】
放送事業者（図示せず）から送信されたディジタル放送に係る放送信号は、図１０の放送衛星を介して放送再送信装置のアンテナで受信される。放送再送信装置は、この受信した放送信号をＩＰ配信網を介して視聴者宅に再送信する。そして、視聴者宅の受信機は、この放送再送信装置から再送信された放送信号をＩＰ配信網を介して受信する。
【００３６】
したがって、本発明の実施の形態に係る放送再放送システムによれば、視聴者は、放送衛星から送信される放送信号を直接受信しなくても、ディジタル放送を視聴できる。
【００３７】
図１は、本発明の実施の形態に係る放送再送信装置の構成を示す図である。
【００３８】
図１に示すように、本発明の実施の形態に係る放送再放送装置は、複数の放送受信装置と、この複数の放送受信装置に接続される多重暗号化装置と、この多重暗号化装置に接続される送信装置と、を有している。
【００３９】
放送再送信装置のアンテナで受信された放送信号は、分岐され、各放送受信装置に入力される。各放送受信装置は、受信した放送信号に含まれる複数のＭＰＥＧトランスポートストリームの中から１つのＭＰＥＧトランスポートストリームをそれぞれ選択し、出力する。
【００４０】
各放送受信装置からそれぞれ出力されたＭＰＥＧトランスポートストリームは、多重暗号化装置に入力される。多重暗号化装置は、各ＭＰＥＧトランスポートストリームをそれぞれ構成する複数のＭＰＥＧトランスポートストリームパケット（以下、「ＴＳパケット」という。）を多重して暗号化し、これを出力する。多重暗号化装置から出力された複数のＴＳパケットは、送信装置に入力される。
【００４１】
複数のＴＳパケットを入力された送信装置は、適当な数のＴＳパケットをＩＰパケットでカプセリングし、ＩＰ配信網に送信する。
【００４２】
図２は、本発明の実施の形態に係る多重暗号化装置からＩＰ配信網に送信される信号の形式を示す図である。
【００４３】
図２に示すように、ＩＰ配信網に送信される信号は、ＩＰパケットであり、第４層としてＵＤＰ（Ｕｓｅｒ　Ｄａｔａｇｒａｍ　Ｐｒｏｔｏｃｏｌ）が用いられている。
【００４４】
第２層は、ＩＥＥＥ８０２．３となっているが、これはＩＥＥＥ８０２．３以外のプロトコルで網が構成されているときにはそれに合わせてよい。ＵＤＰヘッダ以降にはＩＰパケットのペイロード部が続く。ＩＰパケットのペイロード部にはＴＳパケットが格納されている。
【００４５】
図３は、本発明の実施の形態に係る多重暗号化装置の構成を示す図である。
【００４６】
図３に示すように、本発明の実施の形態に係る多重暗号化装置は、図１の各放送受信装置からそれぞれ出力される各ＭＰＥＧトランスポートストリームを入力される同期多重部と、この同期多重部に接続される暗号処理部と、この暗号処理部に接続される制御情報多重部と、を有している。
【００４７】
図４は、本発明の実施の形態に係る多重暗号化装置の同期多重部の構成を示す図である。
【００４８】
図４に示すように、本発明の実施の形態に係る同期多重化部は、入力バッファと、ＮＵＬＬ生成部と、この入力バッファおよびＮＵＬＬ生成部に接続される固定長バッファと、この固定長バッファに接続される巡回読出部と、を有している。
【００４９】
なお、本実施の形態においては、３つのＭＰＥＧトランスポートストリームが同期多重部に入力される場合について説明するが、本発明は、同期多重部に入力されるＭＰＥＧトランスポートストリームの数を３つに限るものではない。
【００５０】
図１の各放送受信装置からそれぞれ出力された各ＭＰＥＧトランスポートストリームは、図４の入力バッファ（１）〜入力バッファ（３）にそれぞれ入力される。各入力バッファは、各ＭＰＥＧトランスポートストリームをそれぞれ構成する各ＴＳパケットを蓄積する。
【００５１】
入力バッファ（１）〜入力バッファ（３）に蓄積されているＴＳパケットは、固定長バッファ（１）〜固定長バッファ（３）にそれぞれ転送される。固定長バッファが転送されたＴＳパケットで満たされていない場合には、ＮＵＬＬ生成部で生成されたＮＵＬＬパケットによって固定長バッファの残りが満たされる。
固定長バッファ（１）〜固定長バッファ（３）に蓄積されているＴＳパケットは、巡回読出部より一定間隔毎に読み出され、図５の暗号処理部へ出力される。
【００５２】
図５は、本発明の実施の形態に係る多重暗号化装置の暗号処理部の構成を示す図であり、図６は、本発明の実施の形態に係る多重暗号化装置の暗号処理部での暗号処理の範囲を示す図である。
【００５３】
図４の同期多重部から出力された図６のＴＳパケットは、図５の暗号処理部のＭＰＥＧトランスポートストリーム暗号処理部（以下、「ＴＳ暗号処理部」という。）に入力される。ＴＳ暗号処理部は、入力された図６のＴＳパケットのペイロード部を暗号化する。
【００５４】
このとき、図６に示す、同期バイト、ヘッダ、アダプテーションフィールドは、暗号化されない。また、ヘッダに含まれるｔｒａｎｓｐｏｒｔ＿ｓｃｒａｍｂｌｉｎｇ＿ｃｏｎｔｒｏｌについては、入力時の値がそのまま維持される。これは、図１０の放送再送信装置が受信した放送信号には、放送事業者（図示せず）によって暗号処理が行われている場合があるため、ｔｒａｎｓｐｏｒｔ＿ｓｃｒａｍｂｌｉｎｇ＿ｃｏｎｔｒｏｌの値は、放送事業者による暗号処理の有無を判別するために視聴者宅の受信機で必要となる場合があるからである。
【００５５】
図５のＴＳ暗号処理部でＴＳパケットの暗号化に用いられる暗号鍵Ｋｓ＿ｎｗは、ＥＣＭにより受信機側に伝送され、ＥＣＭは暗号鍵Ｋｗ＿ｎｗにより暗号化される。また、この暗号鍵Ｋｗ＿ｎｗは、ＥＭＭにより受信機側に伝送され、ＥＭＭは暗号鍵Ｋｍ＿ｎｗにより暗号化される。
【００５６】
なお、本実施の形態では、暗号鍵Ｋｓ＿ｎｗ、Ｋｗ＿ｎｗ、Ｋｍ＿ｎｗについて秘密鍵暗号方式を採用し、暗号化用の鍵と解読用の鍵とを同一の鍵としているが、本発明は、これに限られるものではない。したがって、本発明においては、暗号鍵Ｋｓ＿ｎｗ、Ｋｗ＿ｎｗ、Ｋｍ＿ｎｗについて公開鍵暗号方式を採用を採用して、暗号化用の鍵と解読用の鍵とを別々の鍵とすることもできる。
【００５７】
図５の暗号処理部から出力される暗号化されたＴＳパケット、ＥＣＭ、ＥＭＭは、それぞれ別々のインターフェースにより図７の制御情報多重部に出力される。
【００５８】
図７は、本発明の実施の形態に係る多重暗号化装置の制御情報多重部の構成を示す図である。
【００５９】
図５の暗号処理部から入力されるＥＣＭ、ＥＭＭは、入力バッファ（１）に蓄積される。この入力バッファ（１）は、固定長バッファに接続される。入力バッファ（１）は、固定長バッファに空きがあるときには、ＥＣＭ、ＥＭＭを格納したＴＳパケットをこの固定長バッファに転送する。
【００６０】
固定長バッファは、巡回読出部に接続されており、この巡回読出部は固定長バッファに蓄積されているＥＣＭ、ＥＭＭを読み出す。
巡回読出部は、固定長バッファにＥＣＭ、ＥＭＭが蓄積されていない場合には、ＮＵＬＬ生成部で生成され固定長バッファに蓄積されているＮＵＬＬパケットを固定長バッファから読み出す。
【００６１】
図５の暗号処理部の出力信号である暗号化されたＴＳパケットは、ＥＣＭ、ＥＭＭとは別のインターフェースから図７の入力バッファ（２）に入力され、この入力バッファ（２）に一旦蓄積される。この入力バッファ（２）は巡回読出部に接続されており、巡回読出部はこの入力バッファ（２）内の全てのＴＳパケットを読み出し、図１の送信装置に出力する。
【００６２】
図７の多重フレームヘッダ生成部は、ＴＳパケットを複数含む多重フレームの構造を示す多重フレームヘッダを生成する。
【００６３】
図８は、多重フレームの構成を示す図である。
【００６４】
図８に示すように、多重フレームは、複数のＴＳパケットで構成されている。先頭のＴＳパケットは、多重フレームの構造や暗号処理の有無などを示す多重フレームヘッダである。多重フレームにおいては、この多重フレームヘッダの後ろに、ＥＭＭやＥＣＭなどを収容する制御用のＴＳパケットを伝送する部分、ＭＰＥＧトランスポートストリーム（１）〜ＭＰＥＧトランスポートストリーム（３）を収容する部分が続いている。
【００６５】
表１は、多重フレームヘッダの構造を示す図である。
【００６６】
【表１】
2004096274.tif 000003
多重フレームヘッダは、多重フレームに含まれるトランスポートストリームと多重フレーム上の配置を示す。また、多重フレームヘッダは、多重フレームを構成するＴＳパケットの暗号処理についても記述する。多重フレームの各フィールドは、以下のように扱われる。
【００６７】
Ｓｙｎｃ＿ｂｙｔｅ：通常の同期バイトとして扱い、０ｘ４７（１６進表記）とする。
【００６８】
Ｔｒａｎｓｐｏｒｔ＿ｅｒｒｏｒ＿ｉｎｄｉｃａｔｏｒ：０とする。
【００６９】
Ｐａｙｌｏａｄ＿ｕｎｉｔ＿ｓｔａｒｔ＿ｉｎｄｉｃａｔｏｒ：０とする。
【００７０】
Ｔｒａｎｓｐｏｒｔ＿ｐｒｉｏｒｏｔｙ：０とする。
【００７１】
Ｆｒａｍｅ＿ＰＩＤ：多重フレームヘッダを他のＴＳパケットと識別するために用いられる。値は、他のＴＳパケットのＰＩＤ（ｐａｃｋｅｔ　ｉｄｅｎｔｉｆｉｅｒ）と重複しないように設定する。
【００７２】
Ｔｒａｎｓｐｏｒｔ＿ｓｃｒａｍｂｌｉｎｇ＿ｃｏｎｔｒｏｌ：００とする。なお、多重フレームヘッダは暗号化しない。
【００７３】
Ａｄａｐｔａｔｉｏｎ＿ｆｉｅｌｄ＿ｃｏｎｔｒｏｌ：０１とする。
【００７４】
Ｃｏｎｔｉｎｕｉｔｙ＿ｃｏｕｎｔｅｒ：多重フレームヘッダを生成するたびに１加算する。最大値になると０に戻す。
【００７５】
Ｅｐｏｃｈ＿ｎｕｍｂｅｒ：多重フレームヘッダを修正、変更した場合に１加算する。最大値になると０に戻す。なお、多重フレームヘッダのうち、ｓｙｎｃ＿ｂｙｔｅからｅｐｏｃｈ＿ｎｕｍｂｅｒとＣＲＣの修正、変更は考慮しない。
【００７６】
Ｅｐｏｃｈ＿ｎｕｍｂｅｒに引き続くｆｏｒループは多重フレームに含まれるトランスポートストリームの運用状態、ＴＳ＿ｉｄ、ｏｒｉｇｉｎａｌ＿ｎｅｔｗｏｒｋ＿ｉｄを指定する。これは順番に次のｆｏｒループで指定するｒｅｌａｔｉｖｅ＿ｔｓ＿ｎｕｍｂｅｒの値に対応し、たとえば最初の組合せはｒｅｌａｔｉｖｅ＿ｔｓ＿ｎｕｍｂｅｒの０に対応し、最後は１５に対応する。
【００７７】
Ｔｓ＿ｓｔａｔｕｓ：表２に従って扱う。
【００７８】
【表２】
2004096274.tif 000004
制御スロットは、多重暗号化装置で生成されるＥＣＭ、ＥＭＭが送信されるスロットを示す。多重フレームに収納されているトランスポートストリームが１５より少ない場合には使わない。ｒｅｌａｔｉｖｅ＿ｔｓ＿ｎｕｍｂｅｒに相当するところでは１０（停止中）とする。なお、ｔｓ＿ｓｔａｔｕｓで０１としたＴＳパケットは多重暗号化装置における暗号処理を行わない。
【００７９】
Ｔｓ＿ｉｄ：該当するｒｅｌａｔｉｖｅ＿ｔｓ＿ｎｕｍｂｅｒで使うトランスポートストリームのＴＳ＿ｉｄを示す。
【００８０】
Ｏｒｉｇｉｎａｌ＿ｎｅｔｗｏｒｋ＿ｉｄ：該当するｒｅｌａｔｉｖｅ＿ｔｓ＿ｎｕｍｂｅｒで使うトランスポートストリームのｏｒｉｇｉｎａｌ＿ｎｅｔｗｏｒｋ＿ｉｄを示す。
【００８１】
Ｒｅｌａｔｉｖｅ＿ｔｓ＿ｎｕｍｂｅｒ：２番目のｆｏｒループは、図８の多重フレームの各ＴＳパケットが最初のｆｏｒループで示すトランスポートストリームへの対応の関係を示す。Ｉ＝０は多重フレームヘッダの直後に送信されるＴＳパケットを示し、Ｉ＝５１は次の多重フレームの直前に送信されるＴＳパケットを示す。
【００８２】
Ｍｕｌｔｉｐｌｅ＿ｆｒａｍｅ＿ｓｃｒａｍｂｌｉｎｇ＿ｆｌａｇ：多重フレームヘッダ及びｔｓ＿ｓｔａｔｕｓで指定したＴＳパケットを除くＴＳパケットへの多重暗号化装置での暗号処理の有無を示す。なお、値の解釈は表３に従う。
【００８３】
【表３】
2004096274.tif 000005
Ｐｒｉｖａｔｅ＿ｄａｔａ：機能拡張のためのフィールドである。
【００８４】
ＣＲＣ：誤り検出のために用いられる。
【００８５】
中継事業者から送信されるＥＣＭ、ＥＭＭのＰＩＤが中継事業者によってあらかじめ固定的に設定される場合、視聴者宅の受信機は、制御スロット中のパケットをモニタするだけでこのＰＩＤを検出できる。ＥＣＭ、ＥＭＭのＰＩＤが運用条件により変更される可能性があるときには、多重フレームヘッダ中のｐｒｉｖａｔｅ＿ｄａｔａにＥＣＭ、ＥＭＭのＰＩＤを定義することで運用できる。
【００８６】
次に暗号鍵の更新と関連する情報について説明する。
【００８７】
図１０は、鍵更新の手順を示す図である。
【００８８】
図１０の中継事業者は、鍵更新に先立ち、更新する暗号鍵Ｋｓ＿ｎｗを含んだＥＣＭを多重フレーム（ｎ−３）の制御スロットを用いて送信する。このＥＣＭは、送信エラーに備えて複数の多重フレームで繰り返し送信してもよい。
【００８９】
図１０の視聴者宅の受信機は、ＥＣＭを受信すると、あらかじめ受信したＥＭＭに含まれるＫｗ＿ｎｗを用いてＥＣＭを解読し、鍵Ｋｓ＿ｎｗを抽出する。ｍｕｌｔｉｐｌｅ＿ｆｒａｍｅ＿ｓｃｒａｍｂｌｉｎｇ＿ｆｌａｇの値が多重フレーム（ｎ）によって変更され、これにより、暗号鍵はＥＣＭで受信した鍵Ｋｓ＿ｎｗに変更される。
【００９０】
なお、図１０の視聴者宅の受信機では、ＥＣＭの処理に要する時間を確保するために、ＥＣＭの受信と実際の鍵の変更時間をずらしている。図９において、多重フレーム（ｎ−１）、多重フレーム（ｎ−２）を受信している時間は、ＥＣＭの解析に使うことができる。
【００９１】
以上説明したように、本実施の形態は、ＩＰ網を介してインターネットプロトコルによるデジタル放送の配信において、放送事業者の施す暗号処理とは独立して、中継事業者が独自に視聴制御するために、暗号処理されたＭＰＥＧトランスポートストリームを多重するとともに多重化情報と中継事業者の暗号制御情報を追加することにより、受信装置でＭＰＥＧトランスポートストリームの抽出と暗号解読とを可能にする。
【００９２】
したがって、本実施の形態によれば、中継事業者は、放送事業者の行う視聴制御とは独立に視聴制御が可能となるとともに、中継事業者は再送信するＭＰＥＧトランスポートストリームの多重数を自己のネットワーク資源に対応させ自由に設定することが可能になる。
【００９３】
【発明の効果】
以上説明したように、本発明によれば、ディジタル放送の中継事業者は、放送事業者の行う視聴制御とは独立に視聴管理を行うことができる。また、本発明によれば、ディジタル放送の中継事業者は、多重フレームにより再送信を行うので、送信単位とＭＰＥＧトランスポートストリームの数を柔軟に対応させることができる。
【００９４】
よって、本発明によれば、中継事業者は、放送事業者から送信されたディジタル放送を、ネットワーク資源（マルチキャストアドレスの数など）に合わせて効率的に視聴者宅に再送信できる。
【図面の簡単な説明】
【図１】本発明の実施の形態に係る放送再送信装置の構成を示す図である。
【図２】本発明の実施の形態に係る多重暗号化装置からＩＰ配信網に送信される信号の形式を示す図である。
【図３】本発明の実施の形態に係る多重暗号化装置の構成を示す図である。
【図４】本発明の実施の形態に係る多重暗号化装置の同期多重部の構成を示す図である。
【図５】本発明の実施の形態に係る多重暗号化装置の暗号処理部の構成を示す図である。
【図６】本発明の実施の形態に係る多重暗号化装置の暗号処理部での暗号処理の範囲を示す図である。
【図７】本発明の実施の形態に係る多重暗号化装置の制御情報多重部の構成を示す図である。
【図８】多重フレームの構成を示す図である。
【図９】鍵更新の手順を示す図である。
【図１０】本発明の実施の形態に係る放送再送信システムを示す図である。
【図１】
2004096274.tif 000006
【図２】
2004096274.tif 000007
【図３】
2004096274.tif 000008
【図４】
2004096274.tif 000009
【図５】
2004096274.tif 000010
【図６】
2004096274.tif 000011
【図７】
2004096274.tif 000012
【図８】
2004096274.tif 000013
【図９】
2004096274.tif 000014
【図１０】
2004096274.tif 000015